(57)【特許請求の範囲】
【請求項１】
ケーシング（１）と、
上記ケーシング（１）に形成された空気吸込み用の吸込口（１ａ）と、
送風装置本体から取外し可能なファン（１２）とを備え、
上記吸込口（１ａ）を下向きにして設置される送風装置において、
上記吸込口（１ａ）とファン（１２）との間に、該吸込口（１ａ）から吸い込まれた空気を上記ファン（１２）に導くように案内する案内部材（１３）が配置されており、
上記吸込口（１ａ）は、矩形状をなしており、
上記吸込口（１ａ）の周縁に、上記案内部材（１３）を取り付けるための取付部が設けられており、
上記取付部は、短辺の間隔寸法がファン（１２）の径よりも大きく、長辺の間隔寸法がファン（１２）の径よりも小さくなるように形成されており、
上記取付部の長辺は、送風装置本体から取り外された状態のファン（１２）をその径方向両側部において下方から支承可能な支承部（８）に形成されている
ことを特徴とする送風装置。
【請求項２】
請求項１記載の送風装置において、
案内部材（１３）は、
該案内部材（１３）に沿って吸込口（１ａ）からファン（１２）に流れる空気の流路断面が上記ファン（１２）の側に向かって漸次小さくなるベルマウスとされている
ことを特徴とする送風装置。
【請求項３】
請求項１又は２記載の送風装置を備えた空気清浄機であって、
上記送風装置のケーシング（１）内に、ファン（１２）の作動によりケーシング（１）内に吸い込まれた空気を浄化する空気浄化機構（２０）を備えている
ことを特徴とする空気清浄機。
【発明の詳細な説明】
【０００１】
【発明の属する技術分野】
本発明は、天井埋込形の空気清浄機等、天井に設置される送風装置に関し、特にファンの取付作業を容易化する対策に関する。
【０００２】
【発明が解決しようとする課題】
例えば、天井埋込形の空気清浄機では、ファンは、下向きに配置されたファンモータの出力軸に取り付けられており、このことで、メンテナンス等の際に、下方から容易に取り外したり取り付けたりできるようになっている。
【０００３】
ここで、従来の空気清浄機について説明すると、ケーシングの内部には、ファンモータが出力軸を下向きにして設置されており、この出力軸には、ファンがナットやビス等の締結具により取り付けられている。ファンの下方には吸込口が設けられており、この吸込口とファンとの間にはベルマウスが配置されている。このベルマウスは、吸込口の周縁に該吸込口を囲むように設けられた取付部に取外し可能に取り付けられている。
【０００４】
そして、上記ファンを取り外すには、先ず、ベルマウスを取り外す。次いで、ファンを保持しつつ、工具により上記締結具を外してファンモータの出力軸からファンを取り外す。しかる後、そのファンを吸込口内を下方に移動させてケーシング内から取り出す。このとき、ファンが吸込口内を容易に通過できるように、ベルマウスの取付部は、ファンの邪魔にならないように該ファンの半径方向外方に配置されている。
【０００５】
一方、上記ファンを取り付けるには、図４（ａ）に模式的に示すように、ベルマウス（ｆ）が未だ取り付けられていない状態で、ファン（ｄ）をファンモータ（ｂ）の出力軸（ｃ）にあてがい、そのファン（ｄ）を保持しつつ、工具を用いて締結具によりファン（ｄ）を出力軸（ｃ）に固定する。このようにして、ファン（ｄ）を取り付けた後、同図（ｂ）に模式的に示すように、ベルマウス（ｆ）を取り付けることになる。
【０００６】
【発明が解決しようとする課題】
しかしながら、上記天井埋込形の空気清浄機の場合には、例えば脚立を用いての作業となることから、ファン（ｄ）を取り付けるときには、ファン取付用の締結具やそのための工具一式を、ファン（ｄ）と一緒に運び上げる必要があり、しかも、取付作業が終了するまでの間は、ファン（ｄ）を保持しておかなければならない。したがって、ファン（ｄ）の取付作業は、容易であるとは言えないという難点がある。
【０００７】
本発明は斯かる点に鑑みてなされたものであり、その主な目的は、下向きに配置されたファンモータの出力軸にファンを取外し可能に取り付けるようにした天井埋込形の空気清浄機等の送風装置において、吸込口周縁の構造に改良を加えることで、ファンの取付作業を容易化できるようにすることにある。
【０００８】
【課題を解決するための手段】
上記の目的を達成するために、本発明では、ファンモータの直下である吸込口の周縁に、ファンを径方向両側部において支承可能な支承部を設け、この支承部にファンを仮置きできるようにすることで、ファンの取付作業を容易化できるようにした。
【０００９】
具体的には、請求項１の発明では、図１（ａ）〜同図（ｃ）に模式的に示すように、ケーシング（１）と、このケーシング（１）に形成された吸込口（１ａ）と、送風装置本体から取外し可能なファン（１２）とを備えていて、上記吸込口（１ａ）を下向きにして設置される送風装置が前提である。
【００１０】
そして、上記吸込口（１ａ）とファン（１２）との間に、該吸込口（１ａ）から吸い込まれた空気をファン（１２）に導くように案内する案内部材（１３）が配置されていて、上記吸込口（１ａ）が矩形状をなしている。上記吸込口（１ａ）の周縁には、上記案内部材（１３）を取り付けるための取付部が設けられており、その取付部は、短辺の間隔寸法がファン（１２）の径よりも大きく、長辺の間隔寸法がファン（１２）の径よりも小さくなるように形成されている。上記取付部の長辺は、送風装置から取り外された状態の上記ファン（１２）をその径方向両側部において下方から支承可能な支承部（８）に形成されているものとする。
【００１１】
上記の構成において、送風装置本体から取り外された状態のファン（１２）は、該ファンモータ（１１）の直下に位置する吸込口（１ａ）において、支承部（８）により下方から支承されるので、送風装置本体から取り外されたファン（１２）や、送風装置本体に取り付けられようとするファン（１２）を、上記送風装置本体の近傍に仮置きすることができる。よって、例えば脚立を用いてファン（１２）を取り付けるときには、支承部（８）上に仮置きしてからファン取付用の締結具や工具を取りに行くことができるので、ファン（１２）だけを運び上げることができ、また、取付作業が終了していなくても、ファン（１２）を保持しておかずに済む。
【００１２】
具体的に、一般に、空気清浄機等の送風装置では、吸込口（１ａ）とファン（１２）との間にベルマウス等の案内部材（１３）が配置されていて、この案内部材（１３）により、吸込口（１ａ）から吸い込まれた空気をファン（１２）に導くようになされている。また、そのような案内部材（１３）を取り付けるための取付部は、吸込口（１ａ）の周縁に設けられている。
【００１３】
ここで、吸込口（１ａ）が矩形状をなし、該吸込口（１ａ）の周縁の取付部の長辺の間隔寸法がファン（１２）の径よりも小さくなるように形成されているので、取り外された状態のファン（１２）がその径方向両側部において下方から長辺周縁の支承部（８）に支承され、その支承部（８）に仮置きされる。また、上記吸込口（１ａ）の周縁の取付部の短辺の間隔寸法がファン（１２）の径よりも大きくなるように形成されているので、対角方向に向かい合うコーナ間ないし短辺間を利用して取り外された状態のファン（１２）を傾けるようにして吸込口（１ａ）を通過させてファン（１２）の出し入れを行える。よって、支承部（８）を得るための専用の部材は不要となる。
【００１４】
請求項２の発明では、上記請求項１の発明において、案内部材（１３）は、該案内部材（１３）に沿って吸込口（１ａ）からファン（１２）に流れる空気の流路断面が上記ファン（１２）の側に向かって漸次小さくなるベルマウスとされているものとする。
【００１５】
上記の構成において、吸込口（１ａ）とファン（１２）との間には、案内部材（１３）として、ベルマウスが配置されている。よって、そのベルマウスを取り付けるための取付部により支承部（８）が構成されることになる。
【００１６】
請求項３の発明では、上記請求項１又は２の発明に係る送風装置を備えた空気清浄機として、図２に例示するように、上記送風装置のケーシング（１）内には、ファン（１２）の作動によりケーシング（１）内に吸い込まれた空気を浄化する空気浄化機構（２０）が配置されているものとする。
【００１７】
上記の構成において、送風装置のケーシング（１）内には、ファン（１２）の作動によりケーシング（１）内に吸い込まれた空気を浄化する空気浄化機構（２０）が配置されており、このことで、上記請求項１〜３の発明におけるファンの取付構造を備えた空気清浄機が得られる。
【００１８】
【発明の実施の形態】
以下、本発明の実施形態を、図面に基づいて説明する。
【００１９】
図２及び図３は、本発明の実施形態に係る空気清浄機の全体構成を示しており、この空気清浄機は、空気中の臭気物質ないし有害物質を無臭化ないし無害化する空気浄化機能を具備していて、室内の天井に埋め込まれて使用される天井埋込形のものである。
【００２０】
上記空気清浄機は、天井に埋め込まれた状態で下面となる側（図２の下側）に開口部が設けられてなるケーシング（１）を備えており、このケーシング（１）の開口縁外周には、該ケーシング（１）を吊り下げるための複数の吊金具（２），（２），…が設けられている。ケーシング（１）内の両側部には、１対の支柱部材（３），（３）がケーシング（１）の開口部に向かって突出するように設けられている。これら各支柱部材（３）は、両支柱部材（３），（３）を結ぶ方向に直交する水平方向（図３の上下方向）に延びるように配置されていて、ケーシング（１）の底壁部との間に、該支柱部材（３）の延びる方向に直交する水平方向の両側面が開口された状態の空間を形成するようになされている。
【００２１】
上記両支柱部材（３），（３）上には、矩形状の内周形状を有する取付枠（４）が設けられている。この取付枠（４）は、直状をなす４つの枠部材（５），（５），…が互いに組み付けられてなっており、これら４つの枠部材（５），（５），…のうち、図２及び図３の左右に位置する２つの枠部材（５），（５）は長寸とされている。これら長寸の各枠部材（５）は、対応する支柱部材（３）に沿って延びるように配置されていて該支柱部材（３）に取り付けられており、その両端はケーシング（１）の開口部周縁に止着されている。一方、４つの枠部材（５），（５），…のうち、図３の上下に位置する残りの２つの枠部材（５），（５）は短寸とされている。これら短寸の各枠部材（５）は、支柱部材（３），（３）の延びる方向に直交する水平方向（図３の左右方向）に延びるように配置されていて、その両端が長寸の両枠部材（５），（５）に止着されている。そして、このように構成された取付枠（４）により囲まれたケーシング（１）の開口部の中央部分が吸込口（１ａ）とされているとともに、その外周側の４箇所の部分が吹出口（１ｂ），（１ｂ），…とされている。
【００２２】
上記取付枠（４）内には、空気が吸込口（１ａ）を通過する際に該空気中の塵埃を捕集する集塵エレメント（６）が取外し可能に取り付けられている。具体的には、上述した２つの長寸枠部材（５），（５）のうち、図２及び図３の左側に位置する枠部材（５）には、２つの係止軸（４ａ），（４ａ）が該枠部材（５）の長さ方向に並んで設けられている。これら各係止軸（４ａ）は、同各図の右方に向かって突出する状態に配置されている。一方、同各図の右側に位置する長寸枠部材（５）には、２つの係止ばね（４ｂ），（４ｂ）が該枠部材（５）の長さ方向に並んで設けられている。これら各係止ばね（４ｂ）は、略上下方向に延びるように配置された板ばねからなっており、上端部において後述する取付板に止着されていて、長さ方向中央部分が集塵エレメント（６）の側に向かって張り出した後、下端が集塵エレメント（６）とは反対の側に向くように屈曲する形状に形成されている。
【００２３】
これに対し、上記集塵エレメント（６）の上記係止軸（４ａ），（４ａ）に対応する側の部位には、該係止軸（４ａ），（４ａ）がそれぞれ挿入可能な２つの係合穴（６ａ），（６ａ）が設けられており、一方、上記係止ばね（４ｂ），（４ｂ）に対応する側の部位には、該係止ばね（４ｂ），（４ｂ）がそれぞれ係入可能な２つの係合凹部（６ｂ），（６ｂ）が設けられている。そして、各係合穴（６ａ）にはそれぞれ対応する係止軸（４ａ）が差し込まれているとともに、各係合凹部（６ｂ）にはそれぞれ対応する係止ばね（４ｂ）が係入していてそのばね力により集塵エレメント（６）を係止軸（４ａ），（４ａ）の側に向かって押圧しており、このようにして、取付枠（４）に集塵エレメント（６）が取り付けられている。
【００２４】
尚、上記取付枠（４）から集塵エレメント（６）を取り外すには、取付枠（４）の係止軸（４ａ），（４ａ）に係合穴（６ａ），（６ａ）を係合させたままの状態で集塵エレメント（６）の係合凹部（６ｂ），（６ｂ）側の部分を下方に引き下ろして該係合凹部（６ｂ），（６ｂ）を取付枠（４）の係止ばね（４ｂ），（４ｂ）から離脱させた後、係合穴（６ａ），（６ａ）から取付枠（４）の係止軸（４ａ），（４ａ）が抜け出る方向に集塵エレメント（６）を動かせばよいようになっている。一方、取り外した集塵エレメント（６）を取り付ける際には、係合穴（６ａ），（６ａ）に係止軸（４ａ），（４ａ）を差し込ませた後、集塵エレメント（６）の係合凹部（６ｂ），（６ｂ）側の部分を押し上げて該係合凹部（６ｂ），（６ｂ）内に係止ばね（４ｂ），（４ｂ）を係入させるようになっている。
【００２５】
上記取付枠（４）のケーシング（１）の外部空間側には、化粧パネル（７）が取外し可能に取り付けられている。この化粧パネル（７）は、ケーシング（１）の開口部を覆うとともに、該ケーシング（１）周りの天井との間の取合い部分を覆うように設けられている。この化粧パネル（７）の吸込口（１ａ）及び吹出口（１ｂ），（１ｂ），…に対応する部分にはそれぞれ開口部が設けられている。一方、取付枠（４）のケーシング（１）の内部空間側には、４つの取付板（８ａ），（８ａ），…が取付枠（４）の各枠部材（５）に沿って吸込口（１ａ）を矩形状に囲むように設けられている。これら取付板（８ａ），（８ａ），…は、次に説明する遠心送風機構のベルマウスが取り付けられる取付部（８）を構成している。また、取付部（８）において、短辺方向（図２及び図３の左右方向）に向かい合う２つの取付板（８ａ），（８ａ）のうち、同各図の右側に位置する取付板（８ａ）には、上述の係止ばね（４ｂ），（４ｂ）が止着されている。
【００２６】
上記ケーシング（１）内の略中央には、遠心送風機構（１０）が配置されている。この遠心送風機構（１０）はファンモータ（１１）を有しており、このファンモータ（１１）は、ケーシング（１）の底壁部略中央に配置されていて、出力軸（１１ａ）を吸込口（１ａ）に向けて突出させる状態にケーシング（１）の底壁部に取り付けられている。そして、ファンモータ（１１）の出力軸（１１ａ）には、ファンとしてのインペラ（１２）が回転一体に取り付けられている。インペラ（１２）の吸込口（１ａ）の側には、該インペラ（１２）の中央部分に空気を案内するためのベルマウス（１３）が配置されている。
【００２７】
上記インペラ（１２）は、ファンモータ（１１）の側に位置する円板状のハブ（１４）と、このハブ（１４）よりも吸込口（１ａ）の側に位置していて、中央に円形状の開口部（１５ａ）が形成されたシュラウド（１５）と、これらハブ（１４）及びシュラウド（１５）間の外周部分に周方向に一定の間隔をおいて環状に配置された複数枚のブレード（１６），（１６），…とからなっている。ハブ（１４）は、その軸心部分にファンモータ（１１）の出力軸（１１ａ）が挿通する挿通孔を有している。また、ハブ（１４）の中央部分は、ファンモータ（１１）に干渉しないように吸込口（１ａ）の側に向かって膨出する形状に形成されており、その膨出部分には椀状のキャップ（１７）が吸込口（１ａ）の側から被された状態でビス止めされている。このキャップ（１７）は、その中央に取付孔（１７ａ）が設けられていて、この取付孔（１７ａ）にファンモータ（１１）の出力軸（１１ａ）が挿通した状態で図外のナットにより該出力軸（１１ａ）に連結固定されるようになっている。また、インペラ（１２）におけるハブ（１４）の外周縁部分とシュラウド（１５）の外周縁部分とは軸方向に離間しており、このことで、該ハブ（１４）及びシュラウド（１５）間の空間は半径方向外方に向かって開放されている。
【００２８】
上記ベルマウス（１３）は、その外周形状が取付枠（４）の内周形状よりも僅かに小さい矩形状をなしており、その周縁部分において、上記取付部（７）に下方から接合する状態で複数のビス（１８），（１８），…により取り付けられている。ベルマウス（１３）は、その中央にシュラウド（１５）の開口部（１５ａ）よりも径の小さい円形状の開口部（１３ａ）を有していて、該ベルマウス（１３）の周縁側から開口部（１３ａ）に向かってインペラ（１２）側に漸次近接する滑らかなラッパ状に形成されており、その開口部（１３ａ）側の端部はシュラウド（１５）の開口部（１５ａ）内に入り込んでいる。
【００２９】
上記遠心送風機構（１０）の両側方には、空気中の臭気物質ないし有害物質を分解して無臭化ないし無害化する空気浄化部（２０），（２０）が配置されている。これら空気浄化部（２０）は、対応する支持部材（２）内に組み込まれており、空気中の臭気物質ないし有害物質を分解して無臭化ないし無害化するための光触媒（２１）と、この光触媒（２１）に光を照射して該光触媒（２１）を活性化させる２つのランプ（２２），（２２）とからなっている。光触媒（２１）は支柱部材（３）内の吹出口（１ｂ）側に配置されており、ランプ（２２），（２２）は遠心送風機構（１０）側に上下２段に配置されている。そして、遠心送風機構（１０）から流出した空気が、それぞれ、対応する支持部材（２）内の光触媒（２１）を通過するときに、該空気を無臭化ないし無害化するようになっている。
【００３０】
そして、本実施形態では、上記４つの取付板（８ａ），（８ａ），…のうち、短辺方向に向かい合う２つの取付板（８ａ），（８ａ）が吸込口（１ａ）の側に向かって突出するように延設されており、この１対の取付板（８ａ），（８ａ）により、ファンモータ（１１）の出力軸（１１ａ）から取り外された状態のインペラ（１２）をその径方向両側部において下方から支承できるようになっている。つまり、このような１対の取付板（８ａ），（８ａ）を有する取付部（８）により、本発明の支承部が構成されている。
【００３１】
具体的には、上記１対の取付板（８ａ），（８ａ）は、両者間の間隔寸法（図１の左右方向に間隔寸法）がインペラ（１２）の径（本実施形態の場合には、具体的にはシュラウド（１５）の径）よりも小さくなるようになされている。尚、長辺方向（図３の上下方向）に向かい合う他の２つの取付板（８ａ），（８ａ）については、従来の場合と同様に、両者間の間隔寸法はインペラ（１２）の径よりも大きくされている。
【００３２】
ここで、上記のように構成された空気清浄機の作動について説明する。
【００３３】
上記の空気清浄機において、ファンモータ（１１）に駆動されてインペラ（１２）が回転すると、それに伴い、室内の空気は吸込口（１ａ）に流入し、集塵エレメント（６）を通過してケーシング（１）内に吸い込まれる。このとき、空気中の塵埃が集塵エレメント（６）により捕集されるので、ケーシング（１）内には、塵埃の除去された空気が導入される。
【００３４】
上記ケーシング（１）内に吸い込まれた空気は、ベルマウス（１３）によりインペラ（１２）の中央に集められつつ該インペラ（１２）内に流入する。そして、インペラ（１２）から半径方向外方に向かって流出した空気の一部は、短寸の枠部材（５），（５）の上方空間をそれぞれ通過してその下方の吹出口（１ｂ），（１ｂ）から室内側に吹き出される。一方、長寸の枠部材（５），（５）の側に流出した空気は、それぞれ、空気浄化部（２０），（２０）の各光触媒（２１）を通過してその下方の吹出口（１ｂ）から室内側に吹き出される。その際に、空気中の臭気物質や有害物質は、光触媒（２１）により分解されて無臭化ないし無害化されるので、室内には無臭化ないし無害化した空気が吹き出されることになる。
【００３５】
次に、上記空気清浄機におけるインペラ（１２）の脱着作業の手順について説明する。
【００３６】
上記の空気清浄機において、インペラ（１２）を取り外すときには、例えば脚立を空気清浄機の下方に設置し、この脚立に登って、先ず、化粧パネル（７）及び集塵エレメント（６）を順に取り外す。それらを所定の位置に移した後、今度は、工具を持って脚立に登り、ビス（１８），（１８），…を外してベルマウス（１３）を取り外す。このベルマウス（１３）を所定の位置に移した後、再び脚立に登って工具によりキャップ（１７）のナットを緩め、インペラ（１２）をファンモータ（１１）の出力軸（１１ａ）から外し、しかる後、吸込口（１ａ）を経由してケーシング（１）の外に取り出す。このとき、取付部（８）の４つの取付板（８ａ），（８ａ），…のうち、矩形状をなす取付部（８）の短辺方向に向かい合う２つの取付板（８ａ），（８ａ）の間の間隔寸法がインペラ（１２）の径よりも小さいので、対角方向に向かい合う取付部（８）のコーナ間ないし長辺方向に向かい合う２つの取付板（８ａ），（８ａ）間の間隔寸法を利用して、吸込口（１ａ）を通過させる。このようにして、インペラ（１２）の取外しが行われる。
【００３７】
一方、上記のようにして取り外したインペラ（１２）を取り付けるときには、インペラ（１２）だけを持って脚立に登り、図１（ａ）に模式的に示すように、吸込口（１ａ）を経由してケーシング（１）の内部に入れる。このときも、上記２つの取付板（８ａ），（８ａ）に対しインペラ（１２）を傾けるようにして吸込口（１ａ）を通過させる。
【００３８】
そして、図１（ｂ）に示すように、インペラ（１２）を水平状態にして取付部（８）上に仮置きする。次いで、ナット用の工具を持って脚立に登り、ファンモータ（１１）の出力軸（１１ａ）にインペラ（１２）を装着し、その状態を保持しつつ、工具によりキャップ（１７）のナットを締め付けてインペラ（１２）を出力軸（１１ａ）に固定する。
【００３９】
次いで、図１（ｃ）に示すように、ベルマウス（１３）を取付部（８）にビス止めした後、集塵エレメント（６）及び化粧パネル（７）を順に取り付ける。以上により、インペラ（１２）の取付作業は完了する。
【００４０】
したがって、本実施形態によれば、吸込口（１ａ）を下向きにして設置されるとともに、インペラ（１２）のケーシング（１）に対する出し入れが吸込口（１ａ）を経由して行われるようにした天井埋込形の空気清浄機において、上記吸込口（１ａ）の周縁に、ファンモータ（１１）の出力軸（１１ａ）から取り外された状態のインペラ（１２）をその径方向両側部において下方から支承可能な支承部を設け、この支承部に取付時のインペラ（１２）を仮置きできるようにしたので、インペラ（１２）の取付作業を容易化することができる。
【００４１】
その際に、上記支承部を、ベルマウス（１３）を取り付けるための取付部（８）を利用して構成するようにしたので、そのような支承部を設けるための専用の部材を不要とすることができる。
【００４２】
尚、上記実施形態では、ファンとして、回転軸心に沿って取り込んだ空気を半径方向外方に放出するようにしたインペラ（１２）を用いているが、それ以外の種類のファンを用いるようにしてもよい。
【００４３】
また、上記実施形態では、集塵エレメント（６）により空気中の塵埃を除去するとともに、その塵埃の除去された空気中の臭気物質ないし有害物質を光触媒（２１）により分解するようにした空気清浄機の場合について説明しているが、本発明は、その他の空気浄化機構を備えた各種の空気清浄機の他、空気調和装置の室内側ユニット等についても、吸込口（１ａ）を下向きにして設置されるとともに、ファン（１２）のケーシング（１）に対する出し入れが吸込口（１ａ）を経由して行われるようにした送風装置が組み込まれてなる種々の機械に適用することができる。
【００４４】
【発明の効果】
以上説明したように、請求項１の発明によれば、吸込口を下向きにして設置されるとともに、ファンのケーシングに対する出し入れが吸込口を経由して行われるようにした送風装置において、上記吸込口の周縁に、送風装置本体から取り外された状態のファンを下方から支承可能な支承部を設け、この支承部に取付時のファンを仮置きできるようにしたので、ファンの取付作業を容易化することができる。
【００４５】
つまり、上記吸込口とファンとの間にベルマウス等の案内部材が配置されていて、その案内部材が吸込口周縁の取付部に取り付けられており、吸込口が矩形状をなし、該吸込口の周縁の取付部の長辺の間隔寸法がファン（１２）の径よりも小さく、また取付部の短辺の間隔寸法がファンの径よりも大きくなるように形成したので、取り外された状態のファンをその径方向両側部において下方から長辺周縁の支承部で支承し、その支承部に仮置きさせることができると共に、対角方向に向かい合うコーナ間ないし短辺間を利用して取り外された状態のファンを傾けるようにして吸込口を通過させてファンの出し入れを行うことができる。よって、支承部を得るための専用の部材を不要とすることができる。
【００４６】
請求項２の発明によれば、上記案内部材をベルマウスとするようにしたので、そのようなベルマウスを取り付けるための取付部を利用して支承部を構成することができる。
【００４７】
請求項３の発明によれば、上記送風装置を備えた空気清浄機として、送風装置のケーシング内に空気浄化機構を備えるようにしたので、そのような空気浄化機構を備えた空気清浄機におけるファンの取付作業を容易化することができる。
【図面の簡単な説明】
【図１】本発明の実施形態に係る空気清浄機におけるインペラの取付構造を模式的に示す縦断面図である。
【図２】図３のII−II線断面図である。
【図３】空気清浄機の全体構成を示す底面図である。
【図４】従来の空気清浄機におけるインペラの取付構造を模式的に示す図１相当図である。
【符号の説明】
（１）  ケーシング
（１ａ）  吸込口
（１ｂ）  吹出口
（８）  取付部（支承部）
（１１）  ファンモータ
（１１ａ）  出力軸
（１２）  インペラ（ファン）
（１３）  ベルマウス（案内部材）
（２０）  空気浄化部（空気浄化機構）
【図１】
0003575363.tif 000002
【図２】
0003575363.tif 000003
【図３】
0003575363.tif 000004
【図４】
0003575363.tif 000005